(57)【要約】【課題】  昼夜において高い広告宣伝効果を発揮すると共に、昼間における保護シート内での作業において支障の少ない建物広告構造体を提供する。【解決手段】  建物の外壁７の外方に設置された足場板４２ａ、４２ｂを有する足場の外方側には、保護シート５ａ、５ｂが設置されており、その外方側には外面が上方且つ外方側に傾斜する半透光性の広告用シート１０ａ、１０ｂが設置されている。（１）で示す昼間では、広告用シート１０ａ、１０ｂに表示した広告内容は太陽光を受けて視認される。更に、二点鎖線で示すように太陽光がスペース１９ａ、１９ｂを介して保護シート５ａ、５ｂに照射されるため、足場上が暗くならない。（２）で示す夜間においては、照明器具２１ａ、２１ｂからの照射によって広告用シート１０ａ、１０ｂの内面に光が照射され、夜間における視認性が高まる。従って、昼夜における広告宣伝効果が高い建物広告構造体となる。【選択図】  図６
2010281096.tif 000002
【特許請求の範囲】
【請求項１】
建物の外壁の周りに仮設された足場を覆うように垂直方向に設置された保護シートと、
前記保護シートの外方側に取り付けられ、その外面が上方且つ外方側に傾斜した状態に配置された半透光性の広告用シートと、
前記広告用シートと前記保護シートとの間に設置され、前記広告用シートの内面側に光を照射することができる光照射手段とを備え、
前記広告用シートの上縁と前記保護シートとの間のスペースは透光状態に保持される、建物広告構造体。
【請求項２】
前記広告用シートは矩形シート形状を有し、下辺が前記保護シートに近接した状態で取り付けられると共に、上辺が前記保護シートの外面に平行な離れた位置に取り付けられる、請求項１記載の建物広告構造体。
【請求項３】
前記広告用シートは上下に複数設けられ、
上方の前記広告用シートの下辺の水平レベルと、下方の前記広告用シートの上辺の水平レベルとは一致し、
前記光照射手段は前記広告用シートに対応して複数設けられ、各々は前記広告用シートの各々と前記保護シートとの間の空間の上方に配置される、請求項２記載の建物広告構造体。
【請求項４】
前記広告用シートの両辺の各々と前記保護シートとの間のスペースを覆う半透光性の側面シートを更に備えた、請求項２又は請求項３記載の建物広告構造体。
【請求項５】
建物の外壁の周りに仮設された足場を覆うように垂直方向に設置された保護シートと、
前記保護シートの外方側に取り付けられ、その外面が上方且つ外方側に傾斜した状態に配置された半透光性の広告用パネルと、
前記広告用パネルと前記保護シートとの間に設置され、前記広告用パネルの内面側に光を照射することができる光照射手段とを備え、
前記広告用パネルの上縁と前記保護シートとの間のスペースは透光状態に保持される、建物広告構造体。
【請求項６】
建物の外壁の周りに仮設された足場を覆うように垂直方向に設置された保護シートと、
前記保護シートの外方側に取り付けられ、その外面が上方且つ外方側に傾斜した状態に配置された広告用シートと、
前記広告用シートの外面側に光を照射することができる光照射手段とを備え、
前記広告用シートの上縁と前記保護シートとの間のスペースは透光状態に保持される、建物広告構造体。
【請求項７】
建物の外壁の周りに仮設された足場を覆うように垂直方向に設置された保護シートと、
前記保護シートの外方側に取り付けられ、その外面が上方且つ外方側に傾斜した状態に配置された広告用パネルと、
前記広告用パネルの外面側に光を照射することができる光照射手段とを備え、
前記広告用パネルの上縁と前記保護シートとの間のスペースは透光状態に保持される、建物広告構造体。
【発明の詳細な説明】
【技術分野】
【０００１】
この発明は建物広告構造体に関し、特に、工事等の際に建物の外壁の周りに仮設された足場に設置される建物広告構造体に関するものである。
【背景技術】
【０００２】
従来の建物広告構造体においては、仮設足場を覆うように設置された保護シート上に広告内容として直接文字や図形を表示したものがある（例えば、特許文献１）。
【０００３】
図１１はこのような建物広告構造体の使用状態を示す概略斜視図である。
【０００４】
図を参照して、地面７４上の建物７１の外壁の周りには、図示しない足場が仮設されている。そして、この足場の外方を覆うように垂直方向に保護シート７５が設置されている。
【０００５】
保護シート７５には図形７６ａ〜７６ｃが印刷されているため、外方側から図形７６ａ〜７６ｃを認識することができる。更に、保護シート７５の広範囲に亘って印刷された図形７６ａのような大きな広告内容を表示することによって、保護シート７５で構成された建物広告構造体は、高い広告効果を発揮することができる。
【０００６】
このような建物広告構造体にあっては、昼間は太陽光によって図形７６ａ〜７６ｃを視認することができるが、夜間にあってはこれらを視認し難いものとなっていた。更に、照明器具によって保護シート７５を内側から照射すると、足場のブレース等が影となって保護シート７５上に映ってしまうため、見栄えが悪く、広告宣伝効果の低いものとなる。
【０００７】
そこで、夜間における視認性を高め、昼夜を通して広告宣伝効果の高い建物広告構造体が提案されている（例えば、特許文献２）。
【０００８】
図１２は特許文献２で開示された建物広告構造体の正面図であり、図１３は図１２で示したＸＩＩＩ−ＸＩＩＩラインの断面図である。
【０００９】
これらの図を参照して、建設工事用仮設足場８１の前面（外方面）に、組枠８２が固定されている。組枠８２の最前面には、その表面に文字を表示した半透光性シート８４が取付けられている。更に、組枠８２の半透光性シート８４の背面側には、光反射性シート８６が取付けられていると共に、その上下及び両側にも光反射性シート８７ａ、８７ｂ（両側は図示せず）が取付けられている。そして、組枠８２の内部、即ち上述した各シートで囲まれている範囲に、水銀灯８８が設置されている。
夜間においては、水銀灯８８を点灯することによって、その光は直接又は光反射性シート８６、８７ａ、８７ｂによって反射して半透光性シート８４の内面に照射される。従って、半透光性シート８４の夜間での視認性が高まると共に、建設工事用仮設足場８１のブレース等の影が半透光性シート８４に映り込むことが無いため、昼夜を通して宣伝効果の高い建物広告構造体となる。
【先行技術文献】
【特許文献】
【００１０】
【特許文献１】実開平２−７４４５０号公報
【特許文献２】実開平２−１３２８４号公報
【発明の概要】
【発明が解決しようとする課題】
【００１１】
上記のような特許文献２で開示された建物広告構造体では、昼間における足場での作業において支障を生じる虞が有る。即ち、建物広告構造体を構成する各シートによって、太陽光がこれらの内方側に照射され難くなり、足場（作業スペース）が暗くなってしまう。更に、図１１の図形７６ａのような大きな広告を表示しようとすると、当然大きな建物広告構造体が必要となるため、足場が更に暗くなってしまい、作業に支障を生じることになる。
【００１２】
この発明は、上記のような課題を解決するためになされたもので、昼夜において高い広告宣伝効果を発揮すると共に、昼間における保護シート内での作業において支障の少ない建物広告構造体を提供することを目的とする。
【課題を解決するための手段】
【００１３】
上記の目的を達成するために、請求項１記載の発明は、建物の外壁の周りに仮設された足場を覆うように垂直方向に設置された保護シートと、保護シートの外方側に取り付けられ、その外面が上方且つ外方側に傾斜した状態に配置された半透光性の広告用シートと、広告用シートと保護シートとの間に設置され、広告用シートの内面側に光を照射することができる光照射手段とを備え、広告用シートの上縁と保護シートとの間のスペースは透光状態に保持されるものである。
【００１４】
このように構成すると、昼間は太陽光が広告用シートの上縁と保護シートとの間のスペースを介して保護シートの外面に照射し、夜間は広告シートの内面に光が照射される。
【００１５】
請求項２記載の発明は、請求項１記載の発明の構成において、広告用シートは矩形シート形状を有し、下辺が保護シートに近接した状態で取り付けられると共に、上辺が保護シートの外面に平行な離れた位置に取り付けられるものである。
【００１６】
このように構成すると、広告用シートの傾斜の程度によって保護シートへの透光量が変化する。
【００１７】
請求項３記載の発明は、請求項２記載の発明の構成において、広告用シートは上下に複数設けられ、上方の広告用シートの下辺の水平レベルと、下方の広告用シートの上辺の水平レベルとは一致し、光照射手段は広告用シートに対応して複数設けられ、各々は広告用シートの各々と保護シートとの間の空間の上方に配置されるものである。
【００１８】
このように構成すると、広告用シートは上下に連続するように外方から視認され、光照射手段は広告用シートによって覆われると共に、下方にいくに従って広告用シートと保護シートとの間の間隔が狭まる。
【００１９】
請求項４記載の発明は、請求項２又は請求項３記載の発明の構成において、広告用シートの両辺の各々と保護シートとの間のスペースを覆う半透光性の側面シートを更に備えたものである。
【００２０】
このように構成すると、夜間において広告用シートと側面シートとから光の一部が外方に透過する。
【００２１】
請求項５記載の発明は、建物の外壁の周りに仮設された足場を覆うように垂直方向に設置された保護シートと、保護シートの外方側に取り付けられ、その外面が上方且つ外方側に傾斜した状態に配置された半透光性の広告用パネルと、広告用パネルと保護シートとの間に設置され、広告用パネルの内面側に光を照射することができる光照射手段とを備え、広告用パネルの上縁と保護シートとの間のスペースは透光状態に保持されるものである。
【００２２】
このように構成すると、昼間は太陽光が広告用パネルの上縁と保護シートとの間のスペースを介して保護シートの外面に照射し、夜間は広告用パネルの内面に光が照射される。
【００２３】
請求項６記載の発明は、建物の外壁の周りに仮設された足場を覆うように垂直方向に設置された保護シートと、保護シートの外方側に取り付けられ、その外面が上方且つ外方側に傾斜した状態に配置された広告用シートと、広告用シートの外面側に光を照射することができる光照射手段とを備え、広告用シートの上縁と保護シートとの間のスペースは透光状態に保持されるものである。
【００２４】
このように構成すると、昼間は太陽光が広告用シートの上縁と保護シートとの間のスペースを介して保護シートの外面に照射し、夜間は広告用シートの外面に光が照射される。
【００２５】
請求項７記載の発明は、建物の外壁の周りに仮設された足場を覆うように垂直方向に設置された保護シートと、保護シートの外方側に取り付けられ、その外面が上方且つ外方側に傾斜した状態に配置された広告用パネルと、広告用パネルの外面側に光を照射することができる光照射手段とを備え、広告用パネルの上縁と保護シートとの間のスペースは透光状態に保持されるものである。
【００２６】
このように構成すると、昼間は太陽光が広告用パネルの上縁と保護シートとの間のスペースを介して保護シートの外面に照射し、夜間は広告用パネルの外面に光が照射される。
【発明の効果】
【００２７】
以上説明したように、請求項１記載の発明は、昼間は太陽光が保護シートの外面に照射し、夜間は広告シートの内面に光が照射されるため、昼夜における広告宣伝効果が高まると共に、昼間における保護シート内の作業に支障が少なくなる。
【００２８】
請求項２記載の発明は、請求項１記載の発明の効果に加えて、広告用シートの傾斜の程度によって保護シートへの透光量が変化するため、透光量の調整が容易となり、使い勝手が向上する。
【００２９】
請求項３記載の発明は、請求項２記載の発明の効果に加えて、広告用シートは上下に連続するように外方から視認され、光照射手段は広告用シートによって覆われるため、光照射手段が外方に現れることなく、上下に大きな広告等を広告用シートに表示することが可能となる。又、下方にいくに従って広告用シートと保護シートとの間の間隔が狭まるため、広告用シートを明るくするための照射効率が高まる。
【００３０】
請求項４記載の発明は、請求項２又は請求項３記載の発明の効果に加えて、夜間において広告用シートと側面シートとから光の一部が外方に透過するため、広告用シートと側面シートとが夜間に浮かび上がり、宣伝効果がより高まる。
【００３１】
請求項５記載の発明は、昼間は太陽光が保護シートの外面に照射し、夜間は広告用パネルの内面に光が照射されるため、昼夜における広告宣伝効果が高まると共に、昼間における保護シート内の作業に支障が少なくなる。
【００３２】
請求項６記載の発明は、昼間は太陽光が保護シートの外面に照射し、夜間は広告用シートの外面に光が照射されるため、昼夜における広告宣伝効果が高まると共に、昼間における保護シート内の作業に支障が少なくなる。
【００３３】
請求項７記載の発明は、昼間は太陽光が保護シートの外面に照射し、夜間は広告用パネルの外面に光が照射されるため、昼夜における広告宣伝効果が高まると共に、昼間における保護シート内の作業に支障が少なくなる。
【図面の簡単な説明】
【００３４】
【図１】この発明の第１の実施の形態による建物広告構造体の使用状態を示す概略斜視図である。
【図２】図１で示したＸ部分の一部破断状態の拡大正面図である。
【図３】図２で示したＩＩＩ−ＩＩＩラインの断面図である。
【図４】図２で示したＩＶ−ＩＶラインの一部破断状態の断面図である。
【図５】図２で示したＶ−Ｖラインの断面図である。
【図６】図１で示した建物広告構造体の一部を模式的に示す図であって、（１）は昼間の状態であり、（２）は夜間の状態である。
【図７】この発明の第２の実施の形態による建物広告構造体を示す一部破断状態の拡大正面図であって、第１の実施の形態の図２に対応するものである。
【図８】図７で示したＶＩＩＩ−ＶＩＩＩラインの断面図である。
【図９】この発明の第３の実施の形態による建物広告構造体を示す断面図であって、第１の実施の形態の図３に対応するものである。
【図１０】図９で示した建物広告構造体の一部を模式的に示す図であって、（１）は昼間の状態であり、（２）は夜間の状態である。
【図１１】従来の建物広告構造体の使用状態を示す概略斜視図である。
【図１２】従来の他の建物広告構造体の正面図である。
【図１３】図１２で示したＸＩＩＩ−ＸＩＩＩラインの断面図である。
【発明を実施するための形態】
【００３５】
図１はこの発明の第１の実施の形態による建物広告構造体の使用状態を示す概略斜視図である。
【００３６】
図を参照して、地面４上の工事中の建物３の外壁の周りには、図示しない足場が仮設されている。そして、建物広告構造体１ａの構成部材の一つとして、足場の外方を覆うように保護シート５が垂直方向に設置されている。保護シート５は、落下防止性及び防音性を有しており、メッシュ状又は布状に形成されている。建物広告構造体１ａは、建物３の一方面の略全体を覆っており、その表面には広告内容として図形９ａが印刷されている。又、建物広告構造体１ｂ、１ｃにおいては、各々が建物３の他方面の一部を覆っており、各々の表面には広告内容として図形９ｂ、９ｃが印刷されている。これによって、図１１で示したような建物広告構造体と同様の広告効果を発揮することができる。建物広告構造体１ａ〜１ｃの詳細な構造について、以下に説明する。
【００３７】
図２は図１で示したＸ部分の一部破断状態の拡大正面図であり、図３は図２で示したＩＩＩ−ＩＩＩラインの断面図であり、図４は図２で示したＩＶ−ＩＶラインの一部破断状態の断面図であり、図５は図２で示したＶ−Ｖラインの断面図である。
【００３８】
これらの図を参照して、図１で示した建物広告構造体１ａの内方側であって建物の外壁７の周りに仮設された足場４０は、上下に垂直に、且つ左右に平行に設置された鳥居型の建枠４１ａ〜４１ｉ（一部図示せず）と、隣接する建枠４１ａ〜４１ｉの各々の間に設置された足場板４２ａ〜４２ｉ（一部図示せず）と、建枠４１ａ〜４１ｉの各々及び外壁７を固定するための足場繋ぎ金具４４ａ〜４４ｄ（一部図示せず）とから構成されている。このように構成された足場４０は、建物の外壁７の全周を覆うように設置されている。
【００３９】
そして、足場４０の外方側の全面を覆うように、矩形シート形状の保護シート５ａ〜５ｈ（一部図示せず）が設置されている。保護シート５ａ〜５ｈの各々は、各々の外縁付近に複数の鳩目５１が形成されており、鳩目５１を介して建枠４１ａ〜４１ｉの各々及び上下に並ぶ保護シート５ａ〜５ｈの各々に図示しない紐等で固定されている。従って、保護シート５ａ〜５ｈの設置方向は垂直となる。
【００４０】
又、建枠４１ａ〜４１ｆの各々の上方には、外方側に水平に延びる棒状のブラケット３１ａ〜３１ｆ（一部図示せず）が、固定部材３６ａ〜３６ｆ（一部図示せず）によって建枠４１ａ〜４１ｆの各々に取り付けられている。そして、隣接するブラケット３１ａ〜３１ｆの各々の外壁７側の上方には、棒状の下フレーム３３ａ〜３３ｆ（一部図示せず）が保護シート５ａ〜５ｆの各々の外面と平行になると共に、保護シート５ａ〜５ｆの各々に近接した位置に架橋されている。更に、隣接するブラケット３１ａ〜３１ｆの各々の下方側の外方端には、棒状の上フレーム３２ａ〜３２ｆ（一部図示せず）が保護シート５ａ〜５ｆの各々の外面と離れた位置で平行となるように架橋されている。
【００４１】
更に、垂直方向に上下に並ぶブラケット３１ａ〜３１ｆの各々には、上方側の上フレーム３２ａ〜３２ｆの各々の端部と下方側の下フレーム３３ａ〜３３ｆの各々の端部とを連結するように、棒状の縦フレーム３４ａ〜３４ｈ（一部図示せず）が設置されている。尚、図３で示すブラケット３１ａ〜３１ｆの各々の間の距離Ａは１７００ｍｍに設定されると共に、ブラケット３１ａ〜３１ｆの各々の水平方向の長さＢは約４００ｍｍに形成されている。従って、縦フレーム３４ａ〜３４ｈの各々の上方且つ外方側への傾斜角度θは約１３°となる。
【００４２】
そして、隣接する縦フレーム３４ａ〜３４ｈの各々とこれらの端部に位置する上フレーム３２ａ〜３２ｆの各々と下フレーム３３ａ〜３３ｆの各々とによって矩形枠が形成され、これらの外方側には、図形９ａの一部が印刷された矩形シート形状の広告用シート１０ａ〜１０ｆが取り付けられている。広告用シート１０ａ〜１０ｆは、ポリエステル基布に白色顔料を添加した軟質塩化ビニル樹脂を積層したもので構成されており、半透光性を有している。
【００４３】
広告用シート１０ａ〜１０ｆの各々の外縁側には複数の鳩目１５が形成されており、上述した保護シート５ａ〜５ｆと同様に図示しない紐等で各フレームに固定されている。即ち、広告用シート１０ａ〜１０ｆの各々の上辺は上フレーム３２ａ〜３２ｆの各々に取り付けられ、各々の下辺は下フレーム３３ａ〜３３ｆの各々に取り付けられ、各々の両辺は縦フレーム３４ａ〜３４ｈの各々に取り付けられている。従って、その外面は上方且つ外方側に傾斜した状態となる。更に、ブラケット３１ａ〜３１ｆは水平に設置されているため、上下に並ぶ広告用シート１０ａ〜１０ｆの各々の下側のシートの上辺と上側のシートの下辺との水平レベルは一致する。
【００４４】
そして、このように配置された広告用シート１０ａ〜１０ｆの各々の上縁と、対応する保護シート５ａ〜５ｆの各々の上縁との間には、図５で示すように開放されたスペース１９ａ〜１９ｆ（一部図示せず）が形成される。スペース１９ａ〜１９ｆの各々は透光状態となっているため、太陽光が保護シート５ａ〜５ｆの各々に直接照射される。これらの詳細な効果については後述する。
【００４５】
又、図４で示すように、建設広告用構造体の端部においては、広告用シート１０ａ〜１０ｃの各々と保護シート５ａ〜５ｃの各々との間の直角三角形状のスペースを覆う半透光性の側面シート１１ａ〜１１ｃが設置されている。側面シート１１ａ〜１１ｃを構成する素材は広告用シート１０ａ〜１０ｆと同様である。そして、側面シート１１ｂは、ブラケット３１ａ、縦フレーム３４ｂ及び建枠４１ａに固定されており、その固定方法は広告用シート１０ａ〜１０ｆと同様である。側面シート１１ａ、１１ｃについても、側面シート１１ｂと同様に固定されている。
【００４６】
又、隣接するブラケット３１ａ〜３１ｆの各々の略中央の下方には、水平に延びる筒状の固定部材２２ａ〜２２ｆ（一部図示せず）が図示しないボルト等によって固定されている。そして、固定部材２２ａ〜２２ｆの長手方向の中央部には、光照射手段である照明器具２１ａ〜２１ｆが設置されている。即ち、照明器具２１ａ〜２１ｆは、広告用シート１０ａ〜１０ｆの各々に対応して設けられていると共に、広告用シート１０ａ〜１０ｆの各々と保護シート５ａ〜５ｆの各々との間の空間の上方に配置されている。そして、照明器具２１ａ〜２１ｆの各々は図示しない電源及び操作盤に接続されていると共に、この位置から下方に向かって光を照射するように設定されている。
【００４７】
ここで、このように構成された建物広告構造体の効果について説明する。
【００４８】
図６は図１で示した建物広告構造体の一部を模式的に示す図であって、（１）は昼間の状態であり、（２）は夜間の状態である。
【００４９】
まず（１）を参照して、昼間においては、広告用シート１０ａ、１０ｂの各々の外面に印刷された広告内容は、太陽光によって照らされて特に正面側から全体を一体的に視認することができる。即ち、広告宣伝効果を有することになる。
【００５０】
又、上述した通り、広告用シート１０ａはその外面が上方且つ外方側に傾斜しているため、その上縁と保護シート５ａとの間にスペース１９ａが生じている。従って、昼間においては、二点鎖線で示すように太陽光がスペース１９ａを介して保護シート５ａに照射される。そして、太陽光が保護シート５ａの内方側に届くので、この部分が暗くならない。そのため、昼間における足場板４２ａ上での作業において、太陽光の照射を遮るものが保護シート５ａのみとなるため、通常の足場構造とあまり変わらず、暗くなるという支障が少なくなる。
【００５１】
又、上述した通り広告用シート１０ａは矩形シート形状を有しており、その下辺が保護シート５ａに近接した状態で取り付けられていると共に、上辺が保護シート５ａの外面に平行な離れた位置に取り付けられている。そして、広告用シート１０ａの傾斜の程度によって、上述した太陽光の照射による保護シート５ａへの透光量が変化する。即ち、例えばブラケットを長くしてスペース１９ａの間隔を広げれば透光量が多くなり、ブラケットを短くしてスペース１９ａの間隔を狭めれば透光量が少なくなる。従って、保護シート５ａへの透光量の調整が容易となり、使い勝手が向上する。尚、この傾斜角度は図３で示した１３°程度が好ましいが、傾斜角度は５〜２０°程度に設定されていれば良い。
【００５２】
又、広告用シート１０ａの下方に配置された広告用シート１０ｂは、広告用シート１０ａと同様に構成されている。従って、上方側に広告用シート１０ａを有する広告用シート１０ｂにおいても、太陽光がスペース１９ｂを介して保護シート５ｂに照射されるため、足場板４２ｂ上での作業に支障が少なくなる。従って、広告用シート１０ａ、１０ｂの上下及び左右にこれらと同一の広告用シートを更に連続させても、各広告用シートで同様の効果が発揮される。
【００５３】
次に（２）を参照して、夜間においては、照明器具２１ａによって下方に光を照射すると、二点鎖線で示すように直接又は保護シート５ａに反射して、広告用シート１０ａの内面に光が照射される。すると、広告用シート１０ａは半透光性を有しているため、光の一部が外方に透過するので、夜間における視認性が高まる。従って、（１）で示した昼間の状態と合わせて、昼夜における広告宣伝効果が高まる。このような効果は広告用シート１０ｂにおいても同様であることは言うまでもない。即ち、上下左右に並ぶ全ての広告用シートにおいて昼夜における高い視認性が発揮される。
【００５４】
又、上述したように広告用シート１０ａの下辺の水平レベルと広告用シート１０ｂの上辺の水平レベルとが一致していると共に、照明器具２１ａ、２１ｂの各々は広告用シート１０ａ、１０ｂの各々と保護シート５ａ、５ｂとの間の空間の上方に配置されている。そのため、照明器具２１ａ、２１ｂが正面視において外方に現れることがない。更に、広告用シート１０ａ、１０ｂは上下に連続するように特に正面側から視認される。従って、例えば広告用シート１０ａ、１０ｂの上下に更に複数の広告用シートを設置し、各シートの広告内容を考慮することによって、上下に大きな図形等を表示させた広告を表示することが可能となる。
【００５５】
又、広告用シート１０ａ、１０ｂの各々は下方にいくに従って保護シート５ａ、５ｂの各々との間の間隔が狭まる。従って、照明器具２１ａ、２１ｂは上方にのみ配置されているが、広告用シート１０ａ、１０ｂを明るくするための照射効率が高まる。
【００５６】
又、図４で示したように、広告用シート１０ａ、１０ｂの両辺の各々と保護シート５ａ、５ｂの各々との間に側面シートが設けられているため、夜間において広告用シート１０ａ、１０ｂと共に、側面シートからも光の一部が外方に透過する。従って、共に半透光性を有する広告用シート１０ａ、１０ｂと側面シートとが夜間の状態において浮かび上がるため、建物広告構造体における広告宣伝効果が更に高まる。
【００５７】
更に、足場板４２ａ上での作業における作業員の外方側への落下防止の観点からは、保護シート５ａ、５ｂと広告用シート１０ａ、１０ｂとの二重で防止することができるため、安全性が更に向上する。
【００５８】
図７はこの発明の第２の実施の形態による建物広告構造体を示す一部破断状態の拡大正面図であって、第１の実施の形態の図２に対応するものであり、図８は図７で示したＶＩＩＩ−ＶＩＩＩラインの断面図である。
【００５９】
これらの図を参照して、この実施の形態による建物広告構造体の基本的な構造は、図２で示した建物広告構造体と同様であるので、相違点を中心に説明する。この実施の形態においては、広告用シート１０ａ、１０ｂの上下間を長く設定している点が異なっている。具体的には、広告用シート１０ｂは建枠４１ｅ、４１ｆの２段に亘る上下長さに形成されており、広告用シート１０ｂの傾斜角度は約１０°となるように設定されているが、傾斜角度は５〜１５°程度であっても良い。そして、広告用シート１０ｂの傾斜に対応してブラケット３１ｇ、３１ｈの水平長さが相違するように設定されている。
【００６０】
このように、広告用シート１０ａ、１０ｂの上下間の長さの設定においては、昼間の太陽光による保護シート５ａ、５ｂへの透光量と、照明器具２１ａ、２１ｂの各々からの光の照射による夜間の視認性とを考慮する必要がある。そして、広告用シート１０ａの上下間を長く設定することで、建物広告構造体に必要となる照明器具２１ａ、２１ｂの数が減少して経済的になる。更に、広告用シート１０ａ、１０ｂの数も同じ大きさの広告としては減少するため、建物広告構造体全体の繋ぎ目が少なくなり、視認性が向上する。
【００６１】
図９はこの発明の第３の実施の形態による建物広告構造体を示す断面図であって、第１の実施の形態の図３に対応するものである。
【００６２】
図を参照して、この実施の形態による建物広告構造体の基本的な構造は、図２で示した建物広告構造体と同様であるので、相違点を中心に説明する。この実施の形態においては、照明器具２１ｅ、２１ｆが上方に光を照射するように設置されている点が異なっている。このような建物広告構造体の効果について、以下に説明する。
【００６３】
図１０は図９で示した建物広告構造体の一部を模式的に示す図であって、（１）は昼間の状態であり、（２）は夜間の状態である。
【００６４】
まず（１）を参照して、昼間の状態においては、第１の実施の形態の図６の（１）と同様に、二点鎖線で示した太陽光はスペース１９ａ、１９ｂの各々を介して保護シート５ａ、５ｂの各々に照射される。従って、足場板４２ａ、４２ｂ上での作業において、暗くなるという支障が少なくなる。
【００６５】
次に（２）を参照して、夜間の状態においては、照明器具２１ａ、２１ｂの各々から光を上方に向けて照射する。すると、光が直接広告用シート１０ａ、１０ｂの各々の外面に照射される。すると、照射された光の一部が反射して、夜間においても広告用シート１０ａ、１０ｂが視認できるようになる。従って、第１の実施の形態と同様に、昼夜における宣伝効果が高まる。
【００６６】
又、最下方を除く照明器具は、第１の実施の形態と同様に外方から正面視において外方に現れることがない。従って、上下左右に並べた広告用シート全体の広告効果が更に高まる。
【００６７】
尚、上記の第１及び第２の実施の形態では、広告用シートはポリエステル基布に白色顔料を添加した軟質塩化ビニル樹脂を積層したもので構成されているが、広告用シートが半透光性を有していれば、例えばガラス基布に白色顔料を添加したフッ素樹脂を積層したもの等、他の素材によって構成されていても良い。又は、シートに限らず、例えばアクリル板等で構成したパネルであっても良い。
【００６８】
又、上記の第１及び第２の実施の形態では、照明器具は広告用シートと保護シートとの間の空間の上方に位置するように配置されているが、広告用シートと保護シートとの間に配置され、広告用シートの内面側に光を照射することができれば、他の位置であっても良い。
【００６９】
更に、上記の第３の実施の形態では、広告用シートはポリエステル基布に白色顔料を添加した軟質塩化ビニル樹脂を積層したもので構成されているが、広告用シートが半透光性を有していれば、例えばガラス基布に白色顔料を添加したフッ素樹脂を積層したもの等、他の素材によって構成されていても良い。又、広告用シートは半透光性に限らず、非透光性を有していても良い。又は、シートに限らず、例えばアクリル板等の樹脂板やアルミ板等の金属板で構成したパネルであっても良い。
【００７０】
更に、上記の第３の実施の形態では、照明器具は広告用シートと保護シートとの間の空間の上方に位置するように配置されているが、広告用シートの外面側に光を照射することができれば、他の位置であっても良い。
【００７１】
更に、上記の各実施の形態では、広告用の図形を広告用シートに直接印刷して表示しているが、例えば広告用シートの外面への着色フィルムの貼り合わせ、又は熱転写等、他の方法によって広告用の図形を表示しても良いことは言うまでもない。又は、広告用シートをシート単位で着色し、全体で広告模様を表示するように構成しても良い。
【００７２】
更に、上記の各実施の形態では、ブラケット及び上フレーム等、特定部材によって広告用シートが固定されているが、広告用シートの外面が上方且つ外方側に傾斜した状態に取り付けられていれば、他の方法で固定されていても良い。
【００７３】
更に、上記の各実施の形態では、広告用シートの上縁と保護シートとの間のスペースに部材を設けていないが、このスペースが透光状態に保持されていれば良い。例えば透明なシートによってこのスペースを覆い、照明器具を保護するように構成しても良い。
【００７４】
更に、上記の各実施の形態では、広告用シートは矩形シート形状に形成されているが、例えば広告宣言効果を有する特徴のある形状等、他の形状に形成されていても良い。
【００７５】
更に、上記の各実施の形態では、広告用シートの下辺は保護シートに近接した状態で取り付けられると共に、上辺は保護シートの外面に離れた位置に取り付けられているが、広告用シートの外面が上方且つ外方側に傾斜した状態に取り付けられていれば、このような位置でなくても良い。
【００７６】
更に、上記の各実施の形態では、広告用シートは上下左右に整列して複数設けられているが、上下のみ又は左右のみに複数設けられていても良い。又は、広告用シートは単独で構成されていても良い。その際、照明器具及びブラケット等は、広告用シートに対応して設けられていれば良い。
【００７７】
更に、上記の各実施の形態では、上方の広告用シートの下辺の水平レベルと、下方の広告用シートの上辺の水平レベルとが一致しているが、これらが一致しない形状であっても、上下の広告用シートの連続性がある程度視認できるものであれば良い。
【００７８】
更に、上記の各実施の形態では、側面シートが設けられているが、側面シートは無くても良い。
【００７９】
更に、上記の各実施の形態では、各シートは各々に形成された鳩目を介して紐等で各フレーム等に取り付けられているが、各シートを固定できれば他の方法によって取り付けられていても良い。
【符号の説明】
【００８０】
１…建物広告構造体
３…建物
５…保護シート
７…外壁
１０…広告用シート
１１…側面シート
１９…スペース
２１…照明器具
４０…足場
尚、各図中同一符号は同一又は相当部分を示す。
【図１】
2010281096.tif 000003
【図２】
2010281096.tif 000004
【図３】
2010281096.tif 000005
【図４】
2010281096.tif 000006
【図５】
2010281096.tif 000007
【図６】
2010281096.tif 000008
【図７】
2010281096.tif 000009
【図８】
2010281096.tif 000010
【図９】
2010281096.tif 000011
【図１０】
2010281096.tif 000012
【図１１】
2010281096.tif 000013
【図１２】
2010281096.tif 000014
【図１３】
2010281096.tif 000015